(57)【要約】【課題】ディスペンサーは移動アセンブリを含み、移動アセンブリは上方弁と下方弁を含み、下方弁は製品を収容するためのリザーバを有する。【解決手段】少なくとも１つの孔を有する上方弁は、少なくとも１つの孔を有する下方弁に接続される。さらに、下方弁と上方弁はスリーブによって部分的に覆われる。スリーブは形作られた通路を含む。上方弁と下方弁は、形作られた通路に沿って、ディスペンサーが製品を送出する上方位置と、ディスペンサーを収納する下方位置との間を選択的に案内可能である。【選択図】図１
2010115471.tif 000002
【特許請求の範囲】
【請求項１】
化粧用ディスペンサーであって、
製品を収容するリザーバを有し、少なくとも１つの孔を有する下方弁と、
前記下方弁に接続され、少なくとも１つの孔を有する上方弁と、
前記下方弁と前記上方弁を部分的に覆い、形作られた通路を有するスリーブと、
を備え、
前記下方弁と前記上方弁は、形作られた通路に沿って、ｉ）前記ディスペンサーが製品を送出する上方位置と、ｉｉ）前記ディスペンサーを収納する下方位置と、の間で選択的に整列可能であり、
製品を塗布すべく前記上方弁に接続されたアプリケータをさらに備えた、化粧用ディスペンサー。
【請求項２】
前記スリーブの前記形作られた通路が、実質的なＪ字形状、実質的なＬ字形状、実質的なＴ字形状、実質的なフォーク形状、または実質的なＹ字形状のうちの少なくとも一つを含む、請求項１に記載の化粧用ディスペンサー。
【請求項３】
前記上方弁に配置されたガイドピンをさらに備え、前記ガイドピンは、前記形作られた通路に沿って選択的に案内可能であり、前記上方弁および前記下方弁を、ｉ）前記ディスペンサーが製品を送出するための開状態となる前記形作られた通路に沿った第１位置と、ｉｉ）前記ディスペンサーが前記アプリケータを収納するための閉状態となる前記形作られた通路に沿った第２位置との間で選択的に移動させる、請求項１に記載の化粧用ディスペンサー。
【請求項４】
前記上方弁に配置されたガイドピンをさらに備え、前記ガイドピンは、実質的なＬ字形状に沿って選択的に案内可能であり、前記上方弁および前記下方弁を、ｉ）前記ディスペンサーが、前記アプリケータを定位置に保持する伸長状態にあり、前記製品を送出するための開状態にある第１位置と、ｉｉ）前記ディスペンサーが、前記アプリケータが引き込まれる引込状態であり、前記リザーバ内の前記製品をシールする閉状態にある第２位置との間を選択的に移動させる、請求項１に記載の化粧用ディスペンサー。
【請求項５】
前記上方弁に配置されたガイドピンをさらに備え、前記ガイドピンは、実質的なＹ字形状に沿って選択的に案内可能であり、前記上方弁および前記下方弁を選択的に移動させ、前記ガイドピンは、ｉ）前記ディスペンサーが、前記アプリケータを定位置に保持する伸長状態にある第１位置と、ｉｉ）前記ディスペンサーが、前記製品を送出するための伸長状態および開状態にある第２位置と、ｉｉｉ）前記ディスペンサーが、前記アプリケータが引き込まれる引込状態にあり、前記リザーバ内の前記製品をシールする閉状態にある第３位置との間で選択的に案内可能である、請求項１に記載の化粧用ディスペンサー。
【請求項６】
前記上方弁に配置されたガイドピンをさらに備え、前記ガイドピンは、実質的なフォーク形状に沿って選択的に案内可能であり、前記上方弁および前記下方弁を、ｉ）前記ディスペンサーが、前記アプリケータを定位置に保持する伸長状態にある第１位置と、ｉｉ）前記ディスペンサーが、前記製品を送出するための伸長状態および部分的開状態にある第２位置と、ｉｉｉ）前記ディスペンサーが、前記製品を送出するための伸長状態および完全開状態にある第３位置と、ｉｖ）前記ディスペンサーが、前記アプリケータが引き込まれる引込状態にあり、前記リザーバ内の前記製品をシールする閉状態にある第４位置との間で選択的に移動させる、請求項１に記載の化粧用ディスペンサー。
【請求項７】
前記下方弁と前記上方弁の間に接続された流体通過ガスケットをさらに備え、前記流体通過ガスケットは、実質的なディスク状のエラストマー本体を有する、請求項１に記載の化粧用ディスペンサー。
【請求項８】
流体通過ガスケットをさらに備え、前記流体通過ガスケットが、
頂部側における頂部隆起中央部分と底部側における底部隆起中央部分と、
実質的なディスク形状の本体に配置された少なくとも一つの孔であって、製品の送出通路を画成すべく、前記下方弁の前記少なくとも一つの孔と前記上方弁の前記少なくとも一つの孔とに整列可能である孔と、
前記実質的なディスク形状の本体の前記底部側における前記少なくとも一つの孔を取り囲み、前記流体通過ガスケットを前記下方弁に接続する第１の環状リングと、
前記実質的なディスク形状の本体の前記頂部側における前記少なくとも一つの孔を取り囲み、前記流体通過ガスケットを前記上方弁に接続する第２の環状リングと、
外周部であって、前記実質的なディスク形状の本体において交互の複数の平坦側部と複数の半円側部とを有し、前記複数の半円側部が、作動時、前記流体通過ガスケットを定位置に保持する外周部と、
を備える、請求項１に記載の化粧用ディスペンサー。
【請求項９】
前記流体通過ガスケットの前記少なくとも１つの孔が、実質的な円形状、実質的な四角形状、または実質的な楕円形状を有する、請求項８に記載の化粧用ディスペンサー。
【請求項１０】
前記上方弁と前記下方弁が前記上方位置と前記下方位置との間で移動されるとき、前記流体通過ガスケットが垂直に移動する、請求項７に記載の化粧用ディスペンサー。
【請求項１１】
前記上方弁が、製品送出のための少なくとも１つのパイプを備える、請求項１に記載の化粧用ディスペンサー。
【請求項１２】
ディスペンサーであって、
製品を収容するリザーバを有する下方弁と、
前記下方弁に接続された上方弁であって、前記上方弁と前記下方弁とが、上昇位置と引込位置との間で選択的に移動可能な上方弁と、
前記上方弁と前記下方弁を覆い、形作られた通路を有するスリーブと、
を備え、
前記上方弁と前記下方弁は、前記スリーブの前記形作られた通路に沿って、前記上昇位置と前記引込位置との間で選択的に案内可能であり、
製品を塗布すべく前記上方弁に接続されたアプリケータと、
前記上方弁と前記下方弁の間に介在され、少なくとも一つの孔とエラストマー材料を含む流体通過ガスケットと、
をさらに備えた、ディスペンサー。
【請求項１３】
前記上昇位置が、製品を送出する開状態としての使用位置を規定し、前記引込位置が、ディスペンサーを収容する閉状態としての非使用位置を規定する、請求項１２に記載のディスペンサー。
【請求項１４】
前記形作られた通路が、実質的なＪ字形状、実質的なＬ字形状、実質的なＴ字形状、実質的なフォーク形状、または実質的なＹ字形状のうちの少なくとも一つを有する、請求項１２に記載のディスペンサー。
【請求項１５】
前記上方弁に接続されたガイドピンをさらに備え、前記ガイドピンは、前記スリーブの前記形作られた通路において選択的に移動可能である、請求項１２に記載のディスペンサー。
【請求項１６】
前記形作られた通路の案内可能な位置における前記下方弁と前記上方弁の移動が、前記スリーブを回転させること、またはガイドピンを移動させることの少なくとも一つを含む、請求項１２に記載のディスペンサー。
【請求項１７】
前記上方弁に配置されたガイドピンをさらに備え、ユーザーは前記ガイドピンを前記形作られた通路に沿って選択的に移動させ、これが、前記上方弁および前記下方弁を選択的に移動させ、前記ガイドピンが、
ｉｉｉ）前記ディスペンサーが開状態となり、前記アプリケータが製品を送出すべく上昇される、前記形作られた通路に沿った第１位置と、
ｉｖ）前記ディスペンサーが閉状態となり、前記アプリケータが引込まれる、前記形作られた通路に沿った第２位置と、
の間で選択的に案内可能である、請求項１２に記載のディスペンサー。
【請求項１８】
前記流体通過ガスケットが、
頂部隆起中央部分と底部隆起中央部分とを有する実質的なディスク形状の本体と、
前記実質的なディスク形状の本体の底部側における前記少なくとも一つの孔を取り囲む第１の環状リングと、
前記実質的なディスク形状の本体の頂部側における前記少なくとも一つの孔を取り囲む第２の環状リングと、
を備える、請求項１２に記載のディスペンサー。
【請求項１９】
前記流体通過ガスケットの外周部が、前記実質的なディスク形状の本体において交互の複数の平坦側部と複数の半円側部とを有する、請求項１２に記載のディスペンサー。
【請求項２０】
形作られた通路を有するディスペンサーであって、
製品を収容するリザーバを有し、少なくとも１つの孔を有する下方弁と、
前記下方弁に接続され、少なくとも１つの孔を有する上方弁と、
前記形作られた通路を有し、前記下方弁と前記上方弁を少なくとも部分的に取り囲むスリーブと、
前記上方弁におけるガイドピンと、
を備え、
前記ガイドピンは、前記形作られた通路に沿って、前記ディスペンサーが製品を送出する開位置へと選択的に案内可能であり、
前記ガイドピンは、前記形作られた通路に沿って、前記ディスペンサーを収納する閉位置へと選択的に案内可能であり、
製品を塗布すべく前記上方弁に接続されたアプリケータをさらに備えた、ディスペンサー。
【発明の詳細な説明】
【技術分野】
【０００１】
本発明は、格納された弁を備えた移動アセンブリを有するディスペンサーに関する。
【背景技術】
【０００２】
化粧品、薬品、食品、家庭用品または他の種の製品を分配するための装置がある。このような装置は、通常、外側のハウジングと、異なるタイプの製品を分配するための送出機構と、アプリケータとからなる。例えば、種々の産業において、パウダー、ジェル、クリームまたはローションを塗布するため、装置が用いられる。化粧品および私的ケア産業において、顔や体の部分に口紅、リップクリーム、スキンクリーム、ローション、コンパクトパウダー、ルースパウダー（loose powder）および他の化粧製品を塗布するために、装置が使用される。
【発明の概要】
【発明が解決しようとする課題】
【０００３】
典型的に、これらの装置は多くの欠点を有する。例えば、製品は制御された割合で分配されず、装置から多すぎるか少なすぎる量で出てくることがある。他の問題は、所望量の製品が分配されたとき、装置のアプリケータが製品を装置から流出させ続けることである。例えば、特に日中、再塗布のため一つの場所から別の場所に移動したとき、製品が装置から漏れあるいは溢れ出し、無駄な量の製品とユーザーへの汚れに帰結する。他の問題は、ユーザーが（さらなる製品を塗布しないで）アプリケータを使うことを望むとき、アプリケータが一つの位置で延ばされたままでいないことである。したがって、当該分野における改良された装置の要請が依然として存在する。
【課題を解決するための手段】
【０００４】
概要
この概要は、ディスペンサーにおける、格納された弁（encased valve）を備えた移動アセンブリ（moving assembly）の単純化されたコンセプトを紹介するために提供され、それは以下の詳細な説明で詳述される。この概要は、特許請求の範囲に記載された発明特定事項の本質的要素を特定することを意図せず、特許請求の範囲に記載された発明特定事項の範囲を決定するのに用いられることを意図しない。
【０００５】
本開示は、格納された弁を備えたアセンブリを有するディスペンサーに向けられ、これは、上方位置と下方位置の間の形作られた通路に沿って選択的に案内可能である。本開示はディスペンサーを説明し、ディスペンサーは、上方弁と、製品を収容するためのリザーバを有する下方弁と、形作られた通路を有するスリーブとを含む。上方弁と下方弁のアセンブリは、形作られた通路に沿って、ディスペンサーが製品を送出する上方位置に、またディスペンサーを収納する下方位置に、選択的に案内可能である。さらに、ディスペンサーは、製品を塗布するためのアプリケータを含む。
【０００６】
本開示は、格納された弁を備えたアセンブリを有するディスペンサーの他の実施形態に向けられる。アセンブリは、上方弁と、流体通過（flow-through）ガスケットと、製品を収容するためのリザーバを有する下方弁と、形作られた通路を有するスリーブとを含む。上方弁と下方弁はそれぞれガイドピンを含む。代替実施形態において、下方弁または上方弁がそれぞれ静止し続けている間、上方ガイドピンおよび下方ガイドピンのいずれもが、形作られた通路に沿って選択的に案内可能である。ガイドピンは、形作られた通路に沿って選択的に案内可能であり、これは、アセンブリを、製品を送出するか或いはアプリケータを伸長状態に維持するための上方位置と、アプリケータを引っ込めるための下方位置との間を、選択的に可動とする。
【０００７】
前述のあるいは以下に述べられる特徴、機能および利点は、種々の実施形態において独立に達成されることができ、あるいはさらに他の実施形態において組み合わされることもあり、これらのさらなる詳細は、以下の説明と図面の参照とともに理解される。
【０００８】
詳細な説明は、添付図面の参照とともに説明される。図中、参照番号の左端の数字は、参照番号が最初に現れる図面を特定する。異なる図面での同一の参照番号の使用は、類似のあるいは同一のものを示す。
【図面の簡単な説明】
【０００９】
【図１】一実施形態に従う、格納された弁を備えた移動アセンブリを有するディスペンサーを示す分解図である。
【図２】図１の実施形態に従う、格納された弁を備えた移動アセンブリを有するディスペンサーの正面斜視図である。
【図３ａ】図１の実施形態に従う、キャップ付きで示される、格納された弁を備えた移動アセンブリのＡ−Ａ線に沿った平面図である。
【図３ｂ】図１の実施形態に従う、キャップ無しで示される、格納された弁を備えた移動アセンブリのＡ−Ａ線に沿った平面図である。
【図４ａ】図３のＡ−Ａ線に沿った、キャップ付きで示される、図１の格納された弁を備えた移動アセンブリを有するディスペンサーの断面図である。
【図４ｂ】図３のＡ−Ａ線に沿った、キャップ無しで示される、図１の格納された弁を備えた移動アセンブリを有するディスペンサーの断面図である。
【図５ａ】一実施形態に従う、流体通過ガスケットの底面図である。
【図５ｂ】一実施形態に従う、流体通過ガスケットの平面図である。
【図５ｃ】一実施形態に従う、流体通過ガスケットの斜視図である。
【図６】他の実施形態に従う、格納された弁を備えた移動アセンブリを有するディスペンサーの正面斜視図である。
【図７ａ】図６の実施形態に従う、格納された弁を備えた移動アセンブリを有するディスペンサーの正面斜視図である。
【図７ｂ】図６の実施形態に従う、格納された弁を備えた移動アセンブリを有するディスペンサーの正面斜視図である。
【図８】さらなる他の実施形態に従う、格納された弁を備えた移動アセンブリを有するディスペンサーを示す正面図である。
【図９ａ】図８の実施形態に従う、格納された弁を備えた移動アセンブリを有するディスペンサーの正面図である。
【図９ｂ】図８の実施形態に従う、格納された弁を備えた移動アセンブリを有するディスペンサーの正面図である。
【図１０】他の実施形態に従う、格納された弁を備えた移動アセンブリを有するディスペンサーを示す正面斜視図である。
【図１１ａ】図１０の実施形態に従う、格納された弁を備えた移動アセンブリを有するディスペンサーの正面図である。
【図１１ｂ】図１０の実施形態に従う、格納された弁を備えた移動アセンブリを有するディスペンサーの正面図である。
【発明を実施するための形態】
【００１０】
概説
本開示の一実施形態は、化粧用ディスペンサーに向けられ、ディスペンサーは、格納された弁を備えたアセンブリを有し、アセンブリを、形作られた通路に沿って選択的に動かす。化粧用ディスペンサーは、リザーバを有する下方弁と、上方弁とのアセンブリを含み、これら弁は、形作られた通路を有するスリーブによって部分的に覆われている。幾つかの実施形態において、アセンブリは、流体通過ガスケットを含んでもよい。格納された弁を備えたアセンブリは、ｉ）ディスペンサーが化粧品を送出する上方位置と、ｉｉ）ディスペンサーを格納する下方位置との間を、選択的に移動可能である。上方および下方位置は、形作られた通路に沿っている。形作られた通路は、実質的なＬ字形状、実質的なＹ字形状および実質的なフォーク形状を含むことができる。
【００１１】
限定的でない例示として、ここで述べられる格納された弁を備えた移動アセンブリを有するディスペンサーは、多くの状況と環境で用いられることができる。例えば、格納された弁を備えた移動アセンブリを有するディスペンサーは、薬品、化粧および私的ケア産業、粉末または液状化粧品、ミネラル製品、食料品、スパイス、カーペット脱臭剤、ベーキングソーダ等のために実施されることができる。例えば、種々の産業で、格納された弁を備えた移動アセンブリを有するディスペンサーは、粉末製品、ジェル製品、クリーム製品またはローション製品のために用いられることができる。化粧および私的ケア産業において、格納された弁を備えた移動アセンブリを有するディスペンサーは、口紅、リップクリーム、スキンクリーム、ローション、パウダー、ルースパウダーおよび他の化粧製品を、顔や体の部分に塗布するために使用されることができる。
【００１２】
格納された弁を備えた移動アセンブリを有するディスペンサー
図１は、一実施形態に従う、格納された弁を備えた移動アセンブリを有するディスペンサー１００を示す分解図である。図１は、例示的な、移動アセンブリを有するディスペンサー１００を示し、ディスペンサー１００はスリーブ１０２を有し、スリーブ１０２は、ディスペンサー１００の種々の部品を部分的に覆う。幾つかの実施形態において、形作られた通路は、ディスペンサーの移動の案内を助けるため、Ｌ字形状、Ｙ字形状、またはフォーク形状を含むことができる。幾つかの例において、スリーブ１０２は、透明な、或いは実質的に不透明な、或いは半透明な材料から作られることができる。
【００１３】
格納された弁を備えた移動アセンブリを有するディスペンサー１００は、製品を収容するリザーバを備えた下方弁１０６（ａ）に取り付けられるエンドキャップ１０４を含む。幾つかの実施形態において、下方弁１０６（ａ）は、リザーバとは別ピースとして構成されることができる。一方、他の実施形態において、下方弁は、ワンピースとして取り付けられたリザーバと共に構成されてもよい。下方弁１０６（ａ）の寸法は、限定しないが、少なくとも約２０ｍｍから多くとも約６０ｍｍの高さ、および少なくとも２０ｍｍから多くとも３５ｍｍの直径を含む。エンドキャップまたは補充可能キャップ１０４は、製品をリザーバに保持する。
【００１４】
下方弁１０６（ａ）は、下方ガイドピン１０６（ｂ）を含んでもよい。下方弁１０６（ａ）は、流体通過ガスケット１０８を保持するため、下方弁シート１０６（ｃ）または下方弁の口状部（mouth）を含んでもよい。下方弁シート１０６（ｃ）は、少なくとも一つの孔と、凹んだ領域を形成するための外周縁部の周りの少なくとも１つ以上のリッジ（うね、隆起部；ridge）とを含む。
【００１５】
流体通過ガスケット１０８の複数の孔は、製品送出のため、下方弁シート１０６（ｃ）の複数の孔に整列可能である。幾つかの実施形態において、下方弁１０６（ａ）は、流体通過ガスケットとは別ピースとして構成されることができる。一方、他の実施形態において、下方弁は、異なった材料で形成され取り付けられた流体通過ガスケットと一緒に構成されることができる。流体通過ガスケット１０８のさらなる詳細な議論が、図５ａ、図５ｂおよび図５ｃへと続く。
【００１６】
ディスペンサー１００は上方弁１１０をも含み、上方弁１１０は上方ガイドピン１１１を含む。上方弁１１０は、上方弁１１０の上方ガイドピン１１１を下方弁１０６（ａ）の下方ガイドピン１０６（ｂ）に整列させることにより、下方弁１０６（ａ）に接続される。二つのガイドピンの整列の位置において、上方弁１１０の少なくとも１つの孔は、流体通過ガスケット１０８と下方弁１０６（ａ）との少なくとも１つの孔に、整列されない。それ故、製品送出のための通路はなく、この位置は閉状態と称され得る。
【００１７】
ユーザーによる回転中、上方弁１１０の上方ガイドピン１１１は、頂部まで移動し、スリーブ１０２のＬ字形状の上頂部内に、上方位置まで、案内される。上方ガイドピン１１１がスリーブ１０２のＬ字形状に沿って移動するとき、上方弁１１０はこの経路に向かって選択的に回転可能である。Ｌ字形状への移動は、上方ガイドピン１１１を、下方ガイドピン１０６（ｂ）から離れるように不整列とし、または回転させる。しかしながら、この移動は、上方弁１１０の少なくとも１つの孔を、流体通過ガスケット１０８の少なくとも１つの孔と下方弁シート１０６（ｃ）の少なくとも１つの孔（これら２つは既に整列されている）に、整列させる。この整列は、製品送出のための開状態を生じさせる。この上方に上昇された位置および開状態において、アプリケータは、使用のために曝され若しくは隆起される。
【００１８】
上方弁１１０は取付シート１１２をも含み、取付シート１１２はワンピースとして同時成形され、またはこれらは二つの別ピースから形成されてもよい。取付シート１１２は、図示されるような複数のパイプを含んでもよく、あるいは代替的に、取付シート１１２にパイプが無くてもよい。他の実施形態において、流体通過ガスケットは上方弁の基部に配置される。
【００１９】
前述したように、下方弁１０６（ａ）と流体通過ガスケット１０８と上方弁１１０とを含むアセンブリは、製品送出のための上方位置に選択的に移動することができる。この開状態は、製品を送出するための開状態で作動すべく、上方弁１１０の少なくとも１つのパイプまたは孔が、流体通過ガスケットの少なくとも１つの孔に整列し、下方弁シート１０６（ｃ）の少なくとも１つの孔に整列することを可能にする。アセンブリは、下方位置にも選択的に移動可能であり、これは、閉状態で作動すべく、上方弁１１０の少なくとも１つの上昇（隆起；raised）部分が、流体通過ガスケットの少なくとも１つの孔および下方弁の少なくとも１つの孔に整列することを可能にする。閉状態は、シールを作ることによって製品の漏れを防止する。
【００２０】
幾つかの実施形態において、流体通過ガスケットの少なくとも１つの孔は、上方弁の少なくとも１つの孔に予め整列していてもよい。これらの実施形態において、流体通過ガスケットの少なくとも１つの孔と上方弁とは、開状態のため、下方弁の少なくとも１つの孔に選択的に整列可能である。
【００２１】
幾つかの実施形態において、流体通過ガスケットはなくてもよい。流体通過ガスケットがない実施形態において、上方弁の少なくとも１つの孔は、開状態のため、下方弁の少なくとも１つの孔に選択的に整列する。閉状態のため、上方弁１１０の少なくとも上昇部分が、下方弁の少なくとも１つの孔に選択的に整列する。同様に、この位置は製品漏れを防ぐためのシールを作る。幾つかの実施形態において、上方弁１１０の上昇部分は、流体通過ガスケットの孔または下方弁の孔に整列し、製品を送出しない閉状態に至る。一方、他の実施形態において、下方弁の上昇部分は、製品を送出しないよう、流体通過ガスケットの孔または上方弁の孔に整列する。
【００２２】
この案内可能なメカニズムは、少なくとも約５°から多くとも約１８０°まで回転する。幾つかの実施形態において、案内可能なメカニズムは、少なくとも約１０°から多くとも約９０°まで回転する。さらに、流体通過ガスケット１０８は、製品が、ユーザーの至る所に分配されたりハンドバッグや持ち運び式装置内で散乱すること無く、制御された速度で一時に分配されるのを可能にする。
【００２３】
下方弁シート１０６（ｃ）、流体通過ガスケット１０８および上方弁１１０の少なくとも１つの孔は、限定されないが、実質的な円形状、実質的な四角形状または実質的な楕円形状を含む形状を有してもよい。下方弁シート１０６（ｃ）、流体通過ガスケット１０８および上方弁１１０の孔の数は、少なくとも約１から多くとも約５孔までの範囲とすることができる。下方弁シート１０６（ｃ）、流体通過ガスケット１０８および上方弁１１０の孔の寸法は、製品が詰まることなく送出されるのを可能とするのに十分な寸法でかつ適切な開口である。例えば、孔の寸法は、少なくとも約１ｍｍから多くとも約６ｍｍまでの範囲とすることができる。一実施形態において、それぞれの孔は、少なくとも約２.５ｍｍの寸法である。孔の配置は、互いに１２０°離れて位置された３つの孔からの範囲であってもよい。他の実施形態において、孔の配置は、互いに９０°離れて位置された４つの孔からの範囲であってもよい。下方弁シート１０６（ｃ）、流体通過ガスケット１０８および上方弁１１０の孔の形状、数および寸法は、互いに異なっていてもよい。
【００２４】
取付シート１１２の少なくとも一つのパイプは、少なくとも約９ｍｍから多くとも約３５ｍｍまでの範囲の長さであってもよく、また、少なくとも約２ｍｍから多くとも約４ｍｍまでの範囲の直径であってもよい。上方弁１１０の、パイプの数および直径寸法と、上昇部分の数および直径寸法とは、流体通過ガスケット１０８および下方弁シート１０６（ｃ）の孔の数および直径寸法と、類似していてもよいし類似していなくてもよい。
【００２５】
下方弁１０６（ａ）は、エンドキャップ１０４および上方弁１１０に、例えば、圧入、スナップ嵌合、接着剤および／または、１以上の係合要素による係合によって、固定されることができる。図示された実施形態において、下方弁１０６（ａ）は、上方弁１１０に接続するためのリブを含んでもよい。
【００２６】
スリーブ１０２、エンドキャップ１０４、下方弁１０６（ａ）、上方弁１１０および取付シート１１２は、限定されないが、木、プラスチック、ポリマー、熱可塑性プラスチック、その複合材料、または同種のものから作られることができる。幾つかの実施形態において、スリーブ１０２、エンドキャップ１０４、下方弁１０６（ａ）、上方弁１１０および取付シート１１２は、少なくとも部分的に、例えばアクリロニトリルブタジエンスチレン（ＡＢＳ）、スチレンアクリロニトリル（ＳＡＮ）、ペンタクロロチオアニソール（ＰＣＴＡ；pentachlorothioanisole）、ポリプロピレン（ＰＰ）、ポリエチレン（ＰＥ）、ポリウレタン、その化合物等の樹脂から作られることができる。
【００２７】
格納された弁を備えた移動アセンブリを有するディスペンサーは、ディスペンサーを形作られた通路に沿って偶然に動かすのを避けるため、ロック式機構を含んでもよい。例えば、ユーザーがディスペンサーのスリーブまたは他の機構を手動で動かさなければ、ディスペンサーは、上方開状態から下方閉状態へおよび逆方向へ選択的に動かないであろう。便宜のため、用語「格納された弁を備えた移動アセンブリを有するディスペンサー」は、「移動アセンブリを有するディスペンサー」または「移動アセンブリ」というバージョンと交換可能に用いられる。
【００２８】
移動アセンブリを有するディスペンサーのためのアプリケータおよびキャップ
図１は、取付具１１４を含む、格納された弁を備えた移動アセンブリを有するディスペンサー１００を示し、取付具１１４は、取付シート１１２と上方弁１１０とに結合される。取付具１１４は少なくとも１つの孔を含み、この孔は、製品送出用の取付シート１１２からの少なくとも一つのパイプと選択的に整列可能である。取付具１１４は、上方弁１１０の取付シート１１２のパイプに被さるスリーブとして機能する少なくとも１つの孔を含んでもよい。
【００２９】
パイプの無い実施形態において、取付具１１４は、取付シート１１２の少なくとも１つの孔に整列する少なくとも１つの孔を含むことができる。孔は、少なくとも約１から多くとも約６孔までの範囲の数であることができる。孔は、少なくとも約２ｍｍから多くとも約４ｍｍまでの範囲の直径寸法を有することができる。取付具１１４の孔の数および直径寸法は、取付シート１１２の孔またはパイプの数および直径寸法と一致させることができる。
【００３０】
取付具１１４は、アプリケータ１１６の底部に取り付けられる。アプリケータ１１６は、限定されないが、製品を塗布するためのブラシ、スポンジまたはパウダーパフを含んでもよい。幾つかの実施形態において、アプリケータは、限定されないが、化粧用パウダー製品、ジェルまたはローション製品、および同種のものを塗布するために使用される。
【００３１】
前述したように、ディスペンサー１００は、形作られた通路に沿って右上位置に選択的に案内可能である。この上方位置は、アプリケータ１１６が、製品送出のため隆起或いは露出されるよう、選択的に案内されることを可能にする。また、ディスペンサー１００は、形作られた通路に沿って下方位置に選択的に案内可能である。この下方位置は、アプリケータ１１６が、送出機構を提供しないで、ディスペンサーを格納するため選択的に引き込まれることを可能とする。
【００３２】
格納された弁を備えた移動アセンブリを有するディスペンサー１００は、取り外し可能なキャップ１１８またはカバーを含んでもよく、これは、ブラシアプリケータ１１６の頂部に被さるサイズおよび形状とされる。実施形態において、取り外し可能なキャップ１１８は、スリーブにスナップ嵌合することができる。他の実施形態において、取り外し可能なキャップ１１８は、スリーブにねじ止めするためのネジを含んでもよい。他の実施形態において、格納された弁を備えた移動アセンブリを有するディスペンサー１００は、透明なプラスチックカバー、スライディングプルアップカバー（a sliding pull up cover）および同種のものを含んでもよい。図示例において、ディスペンサー１００は、ディスペンサー１００が使用中でないときにブラシアプリケータ１１６を被包する取り外し可能なキャップ１１８を含む。他の実施形態において、ディスペンサー１００は、取り外し可能なキャップまたはカバーを含まなくてもよい。
【００３３】
取り外し可能なキャップ１１８は、製品を塗布するときに既に利用可能な鏡を有するよう、ユーザーの利便性のため、鏡（図示せず）を含んでもよい。鏡は、少なくとも約２ｍｍから多くとも約８ｍｍの範囲の厚さを有することができる。鏡は、取り外し可能なキャップ１１８の頂部、側部または内部に位置されることができる。他の実施形態において、ディスペンサー１００は鏡を含まなくてもよい。
【００３４】
種々の実施形態の特徴が説明されたけれども、他の実施形態において、スリーブ１０２、エンドキャップ１０４、下方弁１０６（ａ）、上方弁１１０、取付具１１４、ブラシアプリケータ１１６、取り外し可能なキャップ１１８、および鏡は、ディスペンサー１００に収容された製品の塗布に適したいかなる形態でも構成されることができる。例えば、列挙された上記の物品は、あらゆる他の適当な形状と寸法で構成されることができ、また、所定の用途のために望まれる、あらゆる適当な質量、表面仕上げ、および／または表面処理を有することができる。実際、列挙された上記の物品は、ディスク状、楕円、長円、球形、曲線状、台形等の、事実上いかなる望まれる形状でも構成されることができる。
【００３５】
移動アセンブリを有するディスペンサーのための形状形態
図２は、図１の実施形態に従う、格納された弁を備えた移動アセンブリを有するディスペンサー２００の正面斜視図である。後述は、限定的ではないが、上方位置と下方位置の間の形作られた通路に沿って選択的に案内可能な、製品を分配するための送出機構の例の議論である。上方位置は、製品を送出するための開状態であり、下方位置は、ディスペンサーを収容するための閉状態である。これら位置は、上昇位置および引込位置とも称される。
【００３６】
作動は、外部カバー、外部カバーのノブ、ガイドピン、ボタン、回転スリーブ、プルアップスリーブ、および／または他のあらゆる適当な分配機構を回転、押圧、スライド、傾動、またはそうでなければ操作することによって、生じ得る。例は、左右の回転と組み合わせたスライドアップまたはダウン、単一または多数のスライド操作、単一または多数のプッシュ機構、順転または逆転操作、時計回りまたは反時計回り方向、左回りまたは右回り、或いはこれらの逆を用いた、上記の機構と共に実施されることができ、これによりユーザーはディスペンサー２００を操作することができる。
【００３７】
一実施形態において、ユーザーは、ガイドピンとして機能するボタンを動かす。ボタンは、上方弁に接続された上方ガイドピンに連結されている。上方弁はさらに下方弁に連結されている。ユーザーはボタンを動かし、これはアセンブリを上昇位置または引込位置に選択的に動かす。この実施形態は、製品のための送出通路を画成する開状態と、ディスペンサーを収納する閉状態の間で、選択的に可動であることを含む。
【００３８】
他の実施形態が用いられてもよい。例えば、ユーザーは、上方弁が静止している間、下方ガイドピンに連結されたボタンを、形作られた通路に沿って選択的に動かす。
【００３９】
図２は、Ｌ字形状２０４に沿って機構を操作するためのボタン２０２を有したディスペンサー２００を示す。ユーザーは、ボタン２０２を、上方位置または下方位置に選択的に押すことができる。上方弁１１０に連結されたボタン２０２は、スリーブ１１４の逆Ｌ字状の中で延び、この通路に沿って案内される。ユーザーによる操作の間、上方弁１１０に連結されたボタン２０２は、Ｌ字形状に沿って上方位置へと移動する。ボタン２０２に案内されて、下方弁１０６（ａ）、流体通過ガスケットおよび上方弁１１０を含むアセンブリは、上方位置に移動する。ユーザーがボタン２０２をＬ字形状に沿って右上部分に動かすと、上方弁１１０はこの通路に向かって選択的に回転する。逆Ｌ字形状への動作は、ボタン２０２を、下方ガイドピンから離れるよう不整列にするか、または回転させる。しかしながら、この動作は、上方弁の少なくとも１つの孔を、流体通過ガスケットの少なくとも１つの孔と、下方弁シートの少なくとも１つの孔に、選択的に整列させる（下方弁と流体通過ガスケットはすでに整列されている）。この整列は、製品送出のための開状態を作る。この上方に上昇された位置と開状態において、アプリケータは、使用のために露出または隆起される。さらに他の実施形態において、流体通過ガスケットがアセンブリの一部として無くてもよい。
【００４０】
Ｌ字形状は、少なくとも約２５ｍｍから多くとも約６０ｍｍまでの範囲の長さを有し、少なくとも約３ｍｍから多くとも約１０ｍｍまでの範囲の直径を有することができる。異なる実施形態のため、他のガイドの形状、寸法および形態が用いられてもよい。他のものは、限定されないが、実質的なＪ字形状、実質的なＹ字形状、実質的なフォーク形状、実質的に９０°から１２０°まで、その他を含む。しかしながら、他の実施形態において、形状形態の任意の適切な形状、変形または鏡像が用いられることができる。
【００４１】
図３ａおよび図３ｂは、図１の実施形態に従う、それぞれキャップ有りおよびキャップ無しでの、格納された弁を備えた移動アセンブリのためのＡ−Ａ線に沿った平面図である。
【００４２】
移動アセンブリを有するディスペンサーのための送出機構
図４ａおよび図４ｂは、図３のＡ−Ａ線に沿った、それぞれキャップ有りおよびキャップ無しで示される、図１の格納された弁を備えた移動アセンブリを有するディスペンサーの断面図である。図４ａの断面図に示されるように、流体通過ディスペンサー４００は、下方弁１０６（ａ）、流体通過ガスケット１０８および上方弁１１０のアセンブリを示す。実施形態において、流体通過ガスケットは、上方位置および下方位置の間を選択的にガイドされながら鉛直方向に移動する。しかしながら、他の実施形態において、流体通過ガスケットは無くてもよい。
【００４３】
図４ａに示されるのは、どのようにして、製品送出通路が下方弁１０６（ａ）のリザーバから延び、複数のパイプに到達するかである。一例において、上方弁１１０は、開状態で製品送出を可能にする作動機構として機能する。上方弁１１０は、開状態である上方位置に、形作られた通路に沿って選択的に案内可能である。前述したように、この開状態が、上方弁１１０の複数のパイプまたは孔を、流体通過ガスケット１０８の複数の孔および下方弁１０６（ａ）の複数の孔に選択的に整列可能とし、これにより製品が、この製品送出通路を通って搬送される。こうして、製品は、下方弁１０６（ａ）の複数の孔、流体通過ガスケット１０８の複数の孔および上方弁１１０の複数のパイプまたは孔を通って、下方弁１０６（ａ）のリザーバから分配される。
【００４４】
図４ｂに示されるのは、下方に選択的に案内される下方弁１０６および上方弁１１０のアセンブリと、下方位置に選択的に引っ込められるアプリケータブラシ（図示せず）である。この下方位置はディスペンサーを収納する。また、この下方位置では、送出通路がないため、製品漏れがない。下方への動作は、上方弁１１０の複数の隆起部分を、流体通過ガスケット１０８の複数の孔に選択的に整列させ、製品漏れを防止する。この閉状態において、製品送出通路を画成しないことにより、製品漏れがない。
【００４５】
移動アセンブリ有するディスペンサーのための流体通過ガスケット
図５ａ、図５ｂおよび図５ｃは、それぞれ、一実施形態に従う、流体通過ガスケットの底面図、平面図および斜視図である。図５ａは、流体通過ガスケット５００を示し、流体通過ガスケット５００は、実質的にディスク形状の本体５０２を有し、本体５０２は、頂部側に、頂部隆起中央部分５０４を有する。頂部隆起中央部分５０４は、実質的な円形、実質的な四角形または実質的な楕円形とされることができる。この図で、頂部隆起中央部分５０４は実質的な円形である。
【００４６】
図５ａは、実質的なディスク形状の本体５０２に配置された複数の孔５０６を示す。複数の孔５０６は、製品送出のため、下方弁１０６（ａ）の複数の孔および上方弁１１０の複数のパイプまたは孔に選択的に整列可能である。流体通過ガスケット５００の孔５０６は、限定されないが、実質的な円形、実質的な四角形または実質的な楕円形を含む形状を有することができる。示されるのは、実質的な円形の孔５０６である。
【００４７】
複数の孔５０６の寸法は、詰まりの無い製品送出を可能とするのに十分な寸法である。孔の寸法は、パウダー粒子が複数の孔５０６を通って通過するのを可能にするのに適した開口である。例えば、流体通過ガスケット５００の孔５０６の寸法は、少なくとも約１ｍｍから多くとも約６ｍｍまでの範囲とすることができる。一実施形態において、孔５０６は、少なくとも約２ｍｍの直径を有する。
【００４８】
複数の孔５０６の数は、開状態での製品送出を可能とするのに十分な数であるが、孔の大きさにある程度依存している。実施形態においては、見られるように３つの孔がある。他の実施形態において、孔は、限定されないが、少なくとも約１つの孔から多くとも約４つの孔まで、含むことができる。
【００４９】
孔５０６の配置は、見られるように、三角形の形態であることができる。他の実施形態において、配置は、種々の形態であってもよく、これは、限定されないが、四角形または円形の形態を含む。一実施形態において、互いに１２０°間隔で離間された３つの孔があってもよいが、他の実施形態において、互いに９０°間隔で離間された４つの孔があってもよい。
【００５０】
実質的なディスク形状の本体５０２は、ディスク形本体５０２の各側部に環状リング５０８を含む。一実施形態において、第１の環状リングが、孔を囲んで、下方弁１０６（ａ）の口部に一側で接続し、第２の環状リングが、孔を囲んで、上方弁１１０に外側で接続する。
【００５１】
流体通過ガスケット５００は外周縁部を含み、外周縁部は、実質的なディスク形状の本体に、複数の平坦側部５１０と複数の半円側部５１２とを交互に有している。複数の半円側部５１２は、種々の実施での作動時に、流体通過ガスケット５００を上方弁１１０または下方弁１０６（ａ）に確実に保持する。複数の平坦側部５１０は、実質的なディスク形の本体５０２のどの側面にも適用することができる。例えば、平坦側部５１０は、限定されないが、三角タイプの形式または形態で配置された３つの側面を含んでもよい。半円側面５１２は、実質的なディスク形の本体５０２のどの側面にも適用することができる。
【００５２】
半円側面５１２は、三角タイプの形式または形態で配置される。実施形態において、実質的なディスク形状の本体５０２は、交互の平坦側部５１０と交互の半円側部５１２とを含むことができる。半円側部と平坦側部の数は、それぞれ、少なくとも約１から多くとも約４までとすることができる。
【００５３】
図５ｂは、流体通過ガスケットの実質的なディスク形状の本体５０２の他の側部を示す。流体通過ガスケット５００の中央隆起部５１４は実質的な四角形とされてもよい。中央隆起部５１４は、限定されないが、実質的な円形、実質的な四角形または実質的な楕円形を含む形状を有することができる。
【００５４】
図５ｃは、流体通過ガスケット５００の斜視図を示す。流体通過ガスケット５００は、エラストマー特性を有することができる材料から作られる。材料は、限定されないが、熱可塑性エラストマー（ＴＰＥ）、熱可塑性ポリマー、ポリ塩化ビニル、ポリウレタン、ポリエステル共重合体、スチレン共重合体、オレフィン、エチレンアクリル、塩素化ポリエチレン、クロロスルフォン化ポリエチレン（chlorosulfonated polyethylene）、フルオロカーボン、ゴムを含む。一方、他の実施形態において、エラストマー材料は、ブチルゴム、シリコン、ブタジエンゴム、ネオプレン、ニトリル、フロロシリコン、スチレン−ブタジエンゴム（ＳＢＲ）等の、比較的柔軟なまたはジェル状の材料からなってもよい。
【００５５】
実施形態において、流体通過ガスケットは、下方弁１０６（ａ）と一体的に形成される。２つの部品はワンピースとして形成され、しかしながら、流体通過ガスケット５００が前述の材料の一つから形成される一方で、下方弁１０６（ａ）は、前に論じられた材料のリストから形成される。他の実施形態において、流体通過ガスケットは上方弁と一体的に形成され、それぞれは異なった材料から形成される。
【００５６】
種々の実施形態の特徴が説明されたが、他の実施形態において、流体通過ガスケット５００は、ディスペンサーに収容された製品の用途に適したあらゆる形態で構成されることができる。例えば、流体通過ガスケット５００は、あらゆる他の適切な形状および寸法で構成されてもよく、与えられた用途に望まれるあらゆる適切な孔の数、孔の大きさ、孔の形状を有してもよい。流体通過ガスケット５００の孔の寸法、数および形状は、実施形態の間で変えることができる。ディスペンサーと流体通過ガスケット５００の製作は、別個の製造プロセス、共同成型プロセス、または他のあらゆる適切な製造プロセスを通じて達成されることができる。
【００５７】
異なる形状形態を有する移動アセンブリディスペンサー
図６−１１は、移動アセンブリディスペンサーの他の実施形態を示す。これらの移動アセンブリを有するディスペンサーが、図１−４について論じられたディスペンサーの部品および特徴と類似した特徴を有することが理解される。しかしながら、以下の説明は、移動アセンブリディスペンサーの他の実施形態のための異なる特徴に着目する。実施形態は、特別な順序の参照なしに、上方および下方の、第１、第２、第３または第４の位置としての種々の位置に言及し得る。
【００５８】
幾つかの実施形態において、下方弁と、上方弁と、形作られた通路を有するスリーブとを有する製品ディスペンサーがある。ユーザーは、例えば上方弁の上方ガイドピンと下方弁の下方ガイドピンとに接続されたスリーブといった機構を動かして、アセンブリを形作られた通路に沿って上方位置または下方位置に動かす。上方位置は、アプリケータを定位置に保持する伸長状態、および／または、製品を送出する開状態を含むことができる。下方位置は、アプリケータを収納する閉状態である。さらに他の実施形態において、上方弁と下方弁の間に位置された流体通過ガスケットが存在し得る。
【００５９】
図６は、一実施形態に従う、閉じられた形態での、キャップ６００付きで示される移動アセンブリディスペンサーの正面斜視図である。図６に関するこの実施形態において、ディスペンサー６００は、Ｌ字形状６０４を有するスリーブ６０２を含む。この実施形態において、機構は、Ｌ字形状６０４に沿ってスライド上昇および回転するスリーブ６０２を含む。しかしながら、他の実施形態において、Ｌ字形状の変形または対称形があってもよい。
【００６０】
図７ａおよび７ｂは、図６の実施形態に従う、開状態での、キャップ７００無しで示される移動アセンブリディスペンサーの正面図である。図７ａは、下方位置での、移動アセンブリを有するディスペンサー７００を示す。この下方位置で、アプリケータは引込位置にある。７０２で示されるのは、上方弁と下方弁が整列されたことを示す印である。Ｌ字形状または通路６０４は、この通路に沿ってアセンブリが案内移動されることを助ける。図７ｂは、上方位置または第１位置での、移動アセンブリを有するディスペンサー７００を示す。この上方または第１位置で、アプリケータは上昇位置にある。図７ｂに示されるように、印７０４は、上方弁が下方弁の印７０６にもはや整列されていないことを示す。しかしながら、この上方または第１位置において、上方弁の少なくとも一つの孔は下方弁の少なくとも一つの孔に整列され、製品を送出する。流体通過ガスケットを有する幾つかの実施形態において、流体通過ガスケットもまた、製品送出のため、上方弁の少なくとも一つの孔および下方弁の少なくとも一つの孔に整列可能である。
【００６１】
図８は、さらに他の実施形態に従う、閉状態での、キャップ８００とともに示される移動アセンブリディスペンサーの正面斜視図である。図８に関するこの実施形態において、ディスペンサー８００は、Ｙ字形状８０４に沿って選択的に案内可能なボタン８０２を含む。Ｙ字形状８０４に関するメカニズムは、Ｙ字形状の右側または左側へのスライド上昇である。
【００６２】
図９ａおよび９ｂは、図８の実施形態に従う、開形態での、キャップなしで示される移動アセンブリディスペンサー９００の正面図である。図９ａは、ボタン８０２が、Ｙ字形状８０４の右部分および左部分を接続する位置９０２に最初に位置されることを示す。  このボタンの位置９０２において、ディスペンサーは、製品を送出しない下方位置にある。ここで、アプリケータは引込位置にある。図９ｂは、ユーザーが、どのようにして、ボタン８０２をＹ字形状に沿って（破線で示されるような）左上部分９０４に選択的に案内するかを示す。この第１位置９０４で、ディスペンサーは、アプリケータを上昇位置に定位置に保持する伸長状態にある。  図９ｂは、ユーザーが、ボタン８０２をＹ字形状８０４に沿って右上部分９０６に選択的に案内することを示す。この第２位置９０６で、ディスペンサーは、製品を送出する開状態である上方位置にある。この位置９０６で、上方弁の少なくとも一つの孔は、下方弁の少なくとも一つの孔に選択的に整列可能である。流体通過ガスケットを有する幾つかの実施形態において、流体通過ガスケットもまた、製品送出のため、上方弁の少なくとも一つの孔および下方弁の少なくとも一つの孔に整列可能である。
【００６３】
図１０は、さらに他の実施形態に従う、閉形態における、キャップ１０００付きで示される移動アセンブリディスペンサーの正面図である。この図１０に関する実施形態において、ディスペンサー１０００は、フォーク形状１００４に沿って選択的に案内可能なボタン１００２を含む。フォーク形状１００４は、１から５までの刃先（prong）を有することができる。この実施形態において、機構は、ディスペンサーのためのフォーク形状に沿った多数のスライド部分を含む。任意の固有の動作が、上方弁と下方弁の孔を整列または非整列にする。この固有の動作は製品の流れを制御する。ある特定の実施形態において、上方弁の少なくとも一つの孔と下方弁の少なくとも一つの孔に整列可能な流体通過ガスケットがある。
【００６４】
図１１ａおよび１１ｂは、図１０の実施形態に従う、開状態での、キャップ１１００なしで示される移動アセンブリディスペンサーの正面図である。図 １１ａは、フォーク形状１００４の左下位置１１０２に位置されたボタン１００２を示す。この位置１１０２で、ディスペンサー１１００は、ブラシを引っ込めて製品流れのない下方位置にある。ここで、アプリケータは引込位置にある。
【００６５】
図１１ｂは、ユーザーが、どのようにして、ボタン１１０２を、ディスペンサー１１００のためのフォーク形状の右上部分１１０４に沿って上方位置に選択的に案内するかを示す。右上部分１１０４は、図示目的のため、破線で示される。この第１位置１１０４において、ブラシは上方位置で伸長され、アプリケータは定位置に保持される。ディスペンサー１１００は、アプリケータを上昇位置に保持するため伸長状態にあるブラシを有する。この位置１１０４で、製品は送出されない。
【００６６】
図１１ｂは、ユーザーが、どのようにして、ボタン１００２を、ディスペンサー１１００のためのフォーク形状の中間部分または中間刃先位置１１０６に沿って上方位置に選択的に案内するかを示す。中間刃先位置１１０６は、図示目的のため、破線で示される。この第２位置１１０６において、ディスペンサー１１００は上方位置にあり、ブラシは部分的に伸長され、ディスペンサーは、位置１１０６にあるとき完全に開かれないで、製品を部分的に送出する部分的開状態にある。ディスペンサー１１００は、アプリケータを上昇位置に保持するため伸長状態にある。この位置１１０６で、上方弁の少なくとも一つの孔は、下方弁の少なくとも一つの孔に部分的に選択的に整列可能である。流体通過ガスケットがある幾つかの実施形態において、流体通過ガスケットは、製品送出のため、上方弁の少なくとも一つの孔と下方弁の少なくとも一つの孔とに部分的に選択的に整列可能である。
【００６７】
図１１ｂは、ユーザーが、フォーク形状の右上部分または右刃先位置１１０８に位置されたボタン１００２を選択的に案内することも示す。この第３位置１１０８で、ディスペンサー１１００は上方位置にあり、ブラシは完全に伸長され、ディスペンサーは、完全に開かれるよう、製品を送出する完全開状態にある。  この第３位置１１０８で、上方弁の少なくとも一つの孔は、下方弁の少なくとも一つの孔に選択的に整列可能である。流体通過ガスケットがある幾つかの実施形態において、流体通過ガスケットは、製品送出のため、上方弁の少なくとも一つの孔と下方弁の少なくとも一つの孔に選択的に整列可能である。
【００６８】
結論
本発明が、構造的特徴および／または方法論的行為に特有の言葉で説明されたけれども、本発明が、説明された特有の特徴または行為に必ずしも限定されないことが理解されるはずである。どちらかといえば、特有の特徴と行為は、本発明を実施する例示形態として開示されている。
【図１】
2010115471.tif 000003
【図２】
2010115471.tif 000004
【図３ａ】
2010115471.tif 000005
【図３ｂ】
2010115471.tif 000006
【図４ａ】
2010115471.tif 000007
【図４ｂ】
2010115471.tif 000008
【図５ａ】
2010115471.tif 000009
【図５ｂ】
2010115471.tif 000010
【図５ｃ】
2010115471.tif 000011
【図６】
2010115471.tif 000012
【図７ａ】
2010115471.tif 000013
【図７ｂ】
2010115471.tif 000014
【図８】
2010115471.tif 000015
【図９ａ】
2010115471.tif 000016
【図９ｂ】
2010115471.tif 000017
【図１０】
2010115471.tif 000018
【図１１ａ】
2010115471.tif 000019
【図１１ｂ】
2010115471.tif 000020